(57)【要約】  ネットワークから移動電話機へネットワークベースのコンテンツを送信するシステム及び方法が開示される。このシステム及び方法は、一般的に遠隔の発信元（１０４）から得られる情報を要求する移動電話機（１２）を提供する。この要求には、一般に、移動電話機（１２）において利用可能なメモリ容量（２０）が含まれる。オプションとして、上記要求はユーザによる１以上の基本設定を含むものであってもよい。この要求は移動電話機（１２）から遠隔の発信元（１０４）へ送信される。これに応じて、移動電話機（１２）はコンテンツ要求に基づくコンテンツを受信する。その場合、受信したコンテンツは利用可能なメモリの所定部分に対応するものとなる。受信したコンテンツはメモリ（２０）に記憶される。ユーザが追加情報をメモリ（２０）に記憶すると、メモリ（２０）は動的に更新される。別の実施形態ではコンテンツは所定の時刻とイベントの少なくともいずれかに基づいて動的に更新される。
2010503249.tif 000002
【特許請求の範囲】
【請求項１】
移動電話機（１２）へコンテンツをダウンロードする方法であって、
前記移動電話機（１２）において利用可能なメモリ（２０）の容量を決定するステップと、
前記移動電話機（１２）から外部発信元（１０４、１０９）に対して、前記移動電話機（１２）において利用可能な前記メモリ（２０）の容量を含むコンテンツ要求を送信するステップと、
前記コンテンツ要求に基づいて、利用可能な前記メモリ（２０）の所定部分に対応するコンテンツを受信するステップと、
前記受信したコンテンツを前記メモリ（２０）に記憶するステップと、
ユーザ情報を前記メモリ（２０）に記憶するステップと、
関連ユーザが追加情報を前記メモリ（２０）に記憶するときに、前記メモリ（２０）を動的に更新するステップと
を含むことを特徴とする方法。
【請求項２】
前記コンテンツ要求は、ユーザによる１以上の基本設定を含むことを特徴とする請求項１に記載の方法。
【請求項３】
前記コンテンツ要求は、所定の時刻に送信されることを特徴とする請求項２に記載の方法。
【請求項４】
前記コンテンツ要求は、自動的に送信されることを特徴とする請求項３に記載の方法。
【請求項５】
前記コンテンツ要求は、無線ローカルエリアネットワーク（１０８）の検出時に自動的に送信されることを特徴とする請求項４に記載の方法。
【請求項６】
前記コンテンツ要求は、電子機器がパーソナルコンピュータ（１０９）と接続されると、自動的に送信されることを特徴とする請求項４に記載の方法。
【請求項７】
前記コンテンツ要求は、所定の閾値に相当する割合の前記コンテンツ（１４２）が前記関連ユーザによってサンプルとして試用された後に、送信されることを特徴とする請求項１乃至６の何れか１項に記載の方法。
【請求項８】
前記外部発信元は、リモートサーバ（１０４）及びパーソナルコンピュータ（１０９）の少なくともいずれかであることを特徴とする請求項１乃至７の何れか１項に記載の方法。
【請求項９】
前記コンテンツ（１４２）は、移動電話ネットワークアダプタ及びローカルエリアネットワークアダプタとの少なくともいずれかのアダプタを経由して受信されることを特徴とする請求項１乃至８の何れか１項に記載の方法。
【請求項１０】
移動電話機（１２）に記憶されたコンテンツを管理する方法であって、
前記移動電話機（１４２）から外部発信元（１０４、１０９）に対して、前記移動電話機（１２）において利用可能なメモリ（２０）の容量を含むコンテンツ（１４２）の要求を送信するステップと、
前記コンテンツの要求に基づいて、前記移動電話機において利用可能な前記メモリ（２０）のかなりの部分に対応するコンテンツを受信するステップと、
前記受信したコンテンツを前記メモリ（２０）に記憶するステップと、
所定の時刻及びイベントの少なくともいずれかに基づいて前記メモリ（２０）を動的に更新するステップと
を含むことを特徴とする方法。
【請求項１１】
前記イベントは、前記コンテンツ（１４２）をサンプルとして所定の回数試用するステップであることを特徴とする請求項１０に記載の方法。
【請求項１２】
前記所定の時刻は、ネットワークへのアクセスが無料である時間と、前記ネットワークへのアクセスに対する基準料金よりも安い料金で提供される時間との少なくともいずれかの時間に対応することを特徴とする請求項１０に記載の方法。
【発明の詳細な説明】
【技術分野】
【０００１】
本発明は、電子機器に関し、特に、電子機器において利用可能なコンテンツをシャッフルし、補充するシステム及び方法に関するものである。
【背景技術】
【０００２】
移動電話機は音声のみの電子装置から多機能電子装置へと進化した。例えば、移動電話機は現在、電子手帳、デジタルカメラ、（例えばＭＰ３プレーヤ、ＣＤプレーヤ、ＤＶＤプレーヤなどの）再生装置、ビデオゲーム端末などとして機能することが可能である。さらに、移動電話機は音声通信用として用いられるだけでなく、（例えば、インスタントメッセージ処理用アプリケーション、写真の共有、インターネットに関する情報へのアクセスの取得、電子メールなどの）別の様々な形でも用いられている。
【０００３】
このような多機能電子装置は一般に、マルチメディアコンテンツを記憶するメモリを必要とする。従来の移動電話機に関する１つの欠点としてメモリコンテンツの静的な性質がある。一般に、従来の移動電話機のメモリコンテンツを変更することはかなりのかつ時間のかかるユーザインタラクションを必要とする。このため、ユーザは、新製品と未知の製品又はユーザにとって利用できるようになっているサービスの少なくともいずれかを利用するのに気が進まない場合がある。従来の移動電話機に関する別の欠点として、このような新製品又はサービスを、移動電話ネットワークを介してダウンロードする際の費用がある。
【発明の概要】
【発明が解決しようとする課題】
【０００４】
移動電話機のユーザにとっては、移動電話機に設けられたメモリで十分なコンテンツを利用できることが望ましい。移動電話ネットワークの通信事業者にとっては、移動電話機のユーザが利用可能な新製品及びサービスの少なくともいずれかをユーザがサンプルとして試用する効率的かつ使い勝手のよい方法を提供することも望ましい。したがって、移動電話機のメモリにおいてマルチメディアコンテンツのシャッフルと補充の少なくともいずれかをユーザのインタラクションと共に行うシステム及び方法に対する強い要望が存在する。
【課題を解決するための手段】
【０００５】
本発明の１つの側面はコンテンツを移動電話機へダウンロードする方法に関し、当該方法は、移動電話機において利用可能なメモリの容量を決定するステップと、移動電話機において利用可能なメモリの容量を含むコンテンツ要求を移動電話機から外部発信元へ送信するステップと、コンテンツ要求に基づいて、利用可能なメモリの所定部分に対応するコンテンツを受信するステップと、受信したコンテンツをメモリに記憶するステップと、ユーザ情報をメモリに記憶するステップと、関連ユーザが追加情報をメモリに記憶するときに、メモリを動的に更新するステップとを含む。
【０００６】
本発明の１つの側面によれば、コンテンツ要求はユーザによる１以上の基本設定を含む。
【０００７】
本発明の１つの側面によれば、コンテンツ要求は所定の時刻に送信される。
【０００８】
本発明の１つの側面によれば、コンテンツ要求は自動的に送信される。
【０００９】
本発明の１つの側面によれば、コンテンツ要求は無線ローカルエリアネットワークの検出時に自動的に送信される。
【００１０】
本発明の１つの側面によれば、コンテンツ要求は電子機器がパーソナルコンピュータと接続されると、自動的に送信される。
【００１１】
本発明の１つの側面によれば、コンテンツ要求は電子機器のユーザによって関連付けられることによって手動で選択される。
【００１２】
本発明の１つの側面によれば、コンテンツ要求は関連づけられたユーザアクションによって手動で選択される。
【００１３】
本発明の１つの側面によれば、コンテンツ要求は関連ユーザが所定の閾値に相当する割合のコンテンツをサンプルとして試用された後に、送信される。
【００１４】
本発明の１つの側面によれば、外部発信元はリモートサーバである。
【００１５】
本発明の１つの側面によれば、外部発信元はパーソナルコンピュータである。
【００１６】
本発明の１つの側面によれば、コンテンツは移動電話ネットワークを経由して受信される。
【００１７】
本発明の１つの側面によれば、コンテンツはローカルエリアネットワークアダプタを経由して受信される。
【００１８】
本発明の１つの側面によれば、ローカルエリアネットワークアダプタは無線ローカルエリアネットワークアダプタである。
【００１９】
本発明の１つの側面は、移動電話機に記憶されたコンテンツを管理する方法に関し、当該方法は、移動電話機から外部発信元に対して、移動電話機において利用可能なメモリ容量を含むコンテンツ要求を送信するステップと、コンテンツ要求に基づいて、移動電話機において利用可能なメモリのかなりの部分に対応するコンテンツを受信するステップと、上記受信したコンテンツをメモリに記憶するステップと、所定の時刻及びイベントの少なくともいずれかに基づいて上記メモリを動的に更新するステップとを含む。
【００２０】
本発明の１つの側面によれば、イベントは所定の回数コンテンツをサンプルとして試用するステップとなる。
【００２１】
本発明の１つの側面によれば、上記所定の時刻は、ネットワークへのアクセスが無料となる時間か、ネットワークへのアクセスに対する標準料金よりも安い料金で提供される時間かの少なくともいずれかに対応する。
【００２２】
本発明の別の側面は、コンピュータ可読媒体に記憶されたコンピュータプログラムに関し、当該プログラムは遠隔の発信元から得られるコンテンツ要求に適したものである。その場合、プログラムが移動電話機内のメモリにロードされて、実行されると、移動電話機におけるコンテンツ要求を移動電話機から外部発信元へ送信し、当該要求は移動電話機に利用可能なメモリ容量を含み、上記コンテンツ要求に基づいてコンテンツを受信し、当該受信したコンテンツは移動電話機において利用可能なメモリのかなりの部分に対応し、当該受信したコンテンツはメモリに記憶され、所定の時刻及びイベントの少なくともいずれかに基づいてメモリが動的に更新される。
【００２３】
本発明の１つの側面によれば、上記要求は少なくともユーザによる基本設定を含む。
【００２４】
本発明の１つの側面によれば、ユーザによる基本設定は、ユーザに将来の購入意欲を起こさせ得るコンテンツに関する。
【００２５】
本発明の別のシステム、装置、方法、特徴、及び効果は、以下の図面及び詳細な説明を検証するとき当業者には明らかであり、あるいは明らかになる。
【００２６】
すべてのこのような追加のシステム、方法、特徴、及び効果が本説明の中に含まれ、本発明の範囲内に属し、添付の請求の範囲によって保護されることが意図されている。本明細書で使用される場合、「備える／備えている（comprise／comprising）」という用語は、言及された特徴、整数、ステップ又は構成の存在を特定するために用いられるが、これら以外の特徴、整数、ステップ、構成、又はこれらのグループの存在又は追加を排除するものではない、という点に留意されたい。
【００２７】
「電子機器」という用語は携帯無線通信機器を含むものとする。「携帯無線通信機器」という用語は、本明細書では以後、移動電話機、ページャ、電子手帳、パーソナル・デジタル・アシスタント（ＰＤＡ）、携帯用通信装置、スマートフォンなどのコミュニケータのようなすべての機器を含む「移動無線端末」を意味するものとする。
【００２８】
本発明の上述の実施形態及びその他の実施形態について図面を参照しながら本明細書で以下解説する。図面の構成要素は必ずしも縮尺どおりであるとは限らない。むしろ本発明の原理を明瞭に例示することの方が強調されている。同様に、１つの図面に描かれている要素及び特徴は追加の図面に描かれている要素及び特徴と組み合わせることができる。さらに、図面において、同じ参照番号はいくつかの図面を通じて対応する要素を指すものとする。
【図面の簡単な説明】
【００２９】
【図１】本発明の実施形態に係る移動電話機及びヘッドセットの例示のブロック図である。
【図２】本発明の実施形態に係る移動電話機の例示の概略図である。
【図３】本発明の実施形態に係る無線ネットワークの例示のブロック図である。
【図４】本発明の実施形態に係るサーバの例示の概略図である。
【図５】本発明の実施形態に係るメモリ管理の例示のブロック図である。
【図６】本発明の実施形態に係る例示の方法である。
【図７Ａ】本発明の実施形態に係る例示のメモリ管理方法を示すブロック図である。
【図７Ｂ】本発明の実施形態に係る例示のメモリ管理方法を示すブロック図である。
【図７Ｃ】本発明の実施形態に係る例示のメモリ管理方法を示すブロック図である。
【図７Ｄ】本発明の実施形態に係る例示のメモリ管理方法を示すブロック図である。
【図７Ｅ】本発明の実施形態に係る例示のメモリ管理方法を示すブロック図である。
【図７Ｆ】本発明の実施形態に係る例示のメモリ管理方法を示すブロック図である。
【図８】本発明の実施形態に係る例示の方法である。
【発明を実施するための形態】
【００３０】
本発明は、移動電話機のメモリを消費者が消費するコンテンツで自動的に満たすシステム及び方法を目的とするものである。このコンテンツは、ユーザによる基本設定、コンテンツプロバイダの基本設定、移動電話ネットワーク通信事業者の基本設定あるいは他の任意の望ましい態様に基づいてシャッフルするか補充するかの少なくともいずれかを行うことができる。メモリ内においてコンテンツをシャッフルし、補充するために用いられるメモリ容量は動的に変更される。ユーザが、例えば連絡先情報、利用可能な電話機のカメラなどを用いて撮影した画像のような、ユーザが記憶した情報として別のコンテンツを追加するか、削除するかの少なくともいずれかを行うにつれて、シャッフルか、補充かの少なくともいずれかを行うために利用可能な容量が減らされることになる。
【００３１】
本明細書で使用されているような「コンテンツ」という用語は、例えば、マルチメディアコンテンツ、アプリケーションコンテンツ、データコンテンツなどを含む用語として広く解釈されることが望ましい。「遠隔の発信元」という用語は、移動電話機と共に収納されていない任意の電子発信元を意味する用語として広く解釈されることが望ましい。このような遠隔の発信元は、例えば、パーソナルコンピュータ、サーバ、メディアサーバ、コンテンツサーバ、電子記憶媒体、全地球測位システムなどを含むものであってもよい。「シャッフルする」という用語は「並べ替える」ことを意味するものとする。「補充する」という用語は「再び充たす」ことを意味する。
【００３２】
主として移動電話機に関連して本発明について説明する。しかし、本発明が移動電話機にのみ関連づけられることを意図するものではないこと、及び、任意の種類の電子機器にも関連づけ得るものであることは理解できよう。本発明の側面から利点を得ることができる別のタイプの電子機器には、オーディオ再生機能に加えて、少なくともオーディオ再生機能又はビデオ再生機能を有する再生装置が含まれる。例示の再生装置にはＭＰ３プレーヤ、ＣＤプレーヤ及びＤＶＤプレーヤが含まれる。
【００３３】
図１に示すように、本発明に基づく電子機器アセンブリ１０が示されている。例示の電子機器アセンブリ１０は電子機器１２を含み、さらに、オプションとして、有線又は無線で接続された電子機器アクセサリ１４を含むことができる。電子機器アクセサリ１４は一般にリンク１３によって電子機器と接続される。リンク１３は電子機器アクセサリ１４の動作特性に応じて有線リンク又は（ブルートゥース（登録商標）などの）無線リンクであってもよい。例示の実施形態では、電子機器１２は移動電話機であり、移動電話機１２と称する。移動電話機１２は、「レンガ」又は「ブロック」デザインタイプの筐体１６を有するものとして示されてはいるが、本発明の範囲から逸脱することなく、シェル型やスライド型の筐体のような別の種類の筐体を利用してもよいことは理解できよう。
【００３４】
移動電話機１２はディスプレイ１８を含む。ディスプレイ１８は、動作状態、時刻、電話番号、連絡先情報、種々のナビゲーションメニュー、ユーザ情報、利用可能なサービス、製品のうちの少なくともいずれかのような情報をユーザへ提示する。この情報によって、一般にユーザは各種の移動電話機１２の種々の特徴を利用することが可能となる。ディスプレイ１８はまた、（例えば、パーソナルコンピュータ、サーバ、メディアサーバ、コンテンツサーバ、電子記憶媒体、全地球測位システムなどの）１以上の遠隔の発信元から、移動電話機１２によりアクセス可能なコンテンツの視覚的表示を行うために用いることができる。コンテンツは、移動電話機１２のメモリ２０（図２）にローカルに記憶されるか、（例えば、遠隔の記憶装置、メディアサーバ、遠隔のパーソナルコンピュータなどのように）移動電話機１２から遠隔の装置に記憶されるかの少なくともいずれかの態様で記憶されているオーディオ及びビデオの少なくともいずれかのプレゼンテーションを含むことができる。このようなプレゼンテーションは、例えばオーディオ及びビデオファイルの少なくともいずれかを含むマルチメディアファイルから導き出されたり、受信した移動無線信号とテレビ信号の少なくともいずれかの信号から導き出されたりすることができる。多くの状況において、オーディオのプレゼンテーションはビデオのプレゼンテーションを伴う。例えば、表示されたビデオ成分は「音楽ビデオ」であってもよい。また、対応するオーディオ成分はビデオ成分と同期するように意図された音楽であってもよい。別例として、表示されたビデオ成分は受信した移動体テレビ信号に対応するものであってもよい。そして、対応するオーディオ成分は、ビデオ成分と同期するように意図された発話と音楽の少なくともいずれかであってもよい。移動電話機１２のスピーカ２２を用いてオーディオ成分をユーザへ放送することも可能である。上記とは別に、オーディオ成分はヘッドセット１４のスピーカ２４（図２）を用いてユーザへ放送することも可能である。
【００３５】
移動電話機１２は種々のユーザ入力操作を提供するキーパッド２６をさらに含む。例えば、キーパッド２６は、電話番号、電話番号リスト、連絡先情報、覚え書きなどのような英数字情報の入力を可能にする英数字キー２８を含むことができる。さらに、キーパッド２６は、一般に、呼の開始や応答を行うための「呼送信」キー、及び、呼を終了するための「呼終了」や呼の「停止」キーのような特別のファンクションキーを含むものであってもよい。この特別のファンクションキーはまた、例えば一般に行われているように、様々な電話機能、プロファイル、サービス、製品、設定などを選択するためにディスプレイ１８に表示されるメニューを介してナビゲートするためのメニューナビゲーションキーを含んでもよい。移動電話機１２に関連づけられた他のキーには、音量キー、音声ミュートキー、電源オン／オフキー、ウェブブラウザ開始キー、カメラ・キーなどを含むことができる。キー又はキーのような機能はまた、ディスプレイ１８に関連づけられるようなタッチスクリーンとして実現することも可能である。
【００３６】
移動電話機１２には従来方式の発呼回路が含まれる。当該発呼回路によって、移動電話機１２は、呼の確立と、被呼／発呼装置、典型的には別の移動電話機又は陸線電話との信号の交換との少なくともいずれかを行うことが可能となる。しかし、被呼／発呼装置は別の電話である必要はなく、インターネットウェブサーバ、コンテンツ提供サーバなどのような何らかの別の装置であってもよい。
【００３７】
電子機器アセンブリ１０を示す図２を見てわかるように、機能ブロック図が示されている。移動電話機１２は、移動電話機１２の機能及び動作の制御全体を実行するように構成された主制御回路３０を含む。制御回路３０はＣＰＵ、マイクロコントローラ又はマイクロプロセッサのような処理装置３２を含むものであってもよい。処理装置３２は、制御回路３０の内部にあるメモリ（図示せず）内か、メモリ２０のような別個のメモリ内かの少なくともいずれかのメモリに記憶されたコードを実行する装置であるが、上記コードの実行は移動電話機１２の動作の実行を目的とするものである。メモリ２０は、例えば、バッファ、フラッシュメモリ、ハードドライブ、取り外し可能媒体、揮発性メモリと不揮発性メモリの少なくともいずれかであってもよい。メモリ２０は、ユーザ情報とネットワークベースのコンテンツとを記憶するように動作可能である。ユーザ情報はユーザにより選択されるか、あるいは別様に移動電話機１２に記憶されているコンテンツを含むものであってもよい。このような情報は、例えば、写真、連絡先情報、サービス、製品、歌、映画、ユーザにより保存されているか、あるいは別様に記憶されているネットワークベースのコンテンツ、すなわち、ユーザが、手動で移動電話機１２に記憶させたコンテンツを含むものであってもよい。ネットワークベースのコンテンツは遠隔の発信元からダウンロードさせたコンテンツを含むものであってもよい。このようなコンテンツは、例えば、新たなサービス、新製品、サンプリング媒体、ポッドキャスト、映画、ゲーム、ビデオクリップ、オーディオブックなどを含むものであってもよい。以下詳細に説明するように、処理装置３２は、メモリ２０に記憶されたコンテンツをシャッフルし、補充するステップ、及び、ユーザがメモリ２０へ保存した追加情報に基づいてメモリコンテンツを動的に更新するステップを含む、様々な移動電話機１２の種々の機能を実行するためのコードを実行する。
【００３８】
図２に示すように、移動電話機１２は、コンテンツ管理用アプリケーション２１をメモリ２０の中に含むアプリケーションソフトウェアを記憶する能力を備えている。コンテンツ管理用アプリケーション２１は一般にプロセッサ３２に接続され、本実施形態に記載の機能性を実施するようにプログラムされる。
【００３９】
引き続き図１及び図２を参照すると、移動電話機１２には、無線回路３６に結合されたアンテナ３４が含まれる。無線回路３６は、アンテナ３４を介して信号を送受信するための無線周波数送受信機を含む。移動電話機１２は無線回路３６によって送信されたり、無線回路３６から受信されたりするオーディオ信号を処理する音響信号処理回路３８をさらに含む。一般に行われているように、ユーザが移動電話機１２を介して聴き、かつ、通話できるスピーカ２２とマイク４０が音響信号処理回路３８と接続されている。無線回路３６及び音響信号処理回路３８は、処理全体を実行できるように個々の制御回路３０と接続されている。
【００４０】
移動電話機１２には、制御回路３０と結合されている前述のディスプレイ１８及びキーパッド２６も含まれている。移動電話機１２はＩ／Ｏインタフェース４２をさらに含む。Ｉ／Ｏインタフェース４２は、移動電話機１２をベースとするマルチエレメントコネクタのような典型的な移動電話機用Ｉ／Ｏインタフェースの形式であってもよい。一般に行われているように、Ｉ／Ｏインタフェース４２を用いて、移動電話機１２の内部において電力供給装置（ＰＳＵ）４４を充電するバッテリ充電器と移動電話機１２を結合することができる。追加の又は代替の例において、Ｉ／Ｏインタフェース４２は、データケーブルなどを介して有線の個人用ハンズフリーアダプタ、パーソナルコンピュータ又は別の装置と移動電話機１２を接続する役割を果たすことができる。移動電話機１２はまた、計時機能を実行するタイマ４６を含むこともできる。このような機能は、呼の持続時間の計時機能、時刻及び日付スタンプコンテンツの生成機能などを含むものであってもよい。
【００４１】
移動電話機１２は、デジタル写真を撮影するためのカメラ４８のような種々の内蔵型アクセサリを含むものであってもよい。写真に対応する画像ファイルはメモリ２０に記憶することができる。１つの実施形態では、移動電話機１２は地球規模の測位衛星（ＧＰＳ）受信機、ガリレオ衛星システム受信機等のような位置データ受信装置（図示せず）を含むものであってもよい。
【００４２】
ヘッドセット１４、コンピュータなどのローカルに配置された、移動電話機１２のような別の装置と無線通信を確立するために、別の移動電話機は、ブルートゥース（登録商標）アダプタのようなローカルな無線インタフェースアダプタ５０を含むものであってもよい。
【００４３】
ネットワークベースのコンテンツとの通信を確立するために、移動電話機１２は無線ローカルエリアネットワークインタフェースアダプタ５２をさらに含むものであってもよい。好適には、ＷＬＡＮアダプタ５２は、（例えばＩＥＥＥ８０２．１１（ａ）、ＩＥＥＥ８０２．１１（ｂ）、ＩＥＥＥ８０２．１１（ｇ）などのような）１以上のＩＥＥＥ８０２．１１プロトコルと互換性を有するものであることが望ましく、ユーザが、適当な特権を有しているか、正しく認証された場合かの少なくともいずれかを仮定すると、移動電話機１２はＷＬＡＮアダプタ５２によって関連付けられたネットワーク上で（ＭＡＣアドレス及びＩＰアドレスなどの）固有の識別子を取得し、ネットワーク上で１以上の装置と通信を行うことが可能になる。
【００４４】
移動電話機１２は広域通信システムにおいて動作するように構成することができる。システムは、１以上のサーバ、又は、移動電話機１２によって送信され、移動電話機１２へ向けて送られる呼を管理し、（例えば、画像ファイル、オーディオファイル、ビデオファイル、サービス、製品、情報などのような）ネットワークベースのコンテンツを移動電話機１２へ送信し、他の任意のサポート機能を実行する呼制御エレメントを含むことができる。サーバはネットワーク及び送信媒体を介して移動電話機１２と通信することができる。送信媒体は、任意の適当な装置、又は、例えば通信タワー、他の移動電話機、無線アクセスポイント、ルータ、衛星などを含むアセンブリであってもよい。ネットワークの一部は有線伝送路と無線伝送路の少なくともいずれかの伝送路を含むものであってもよい。
【００４５】
本発明に係る例示のネットワーク１００が図３に示されている。ネットワーク１００は、１以上の通信媒体１０２、（１０４Ａ、１０４Ｂなどの）１以上のコンテンツサーバ１０４、（インターネットなどの）広域ネットワーク（ＷＡＮ）１０５、ローカルエリアネットワーク（ＬＡＮ）１０６、少なくとも１つの無線ＬＡＮアクセスポイント（ＡＰ）１０８、ＷＡＮ基地局１０７及び移動電話機１２を含むものであってもよい。コンテンツサーバ１０４ＡがＬＡＮ１０６の外側に在るものとして示されてはいるが、この図は単に例示を目的とするものである。当業者であれば容易に理解できるように、コンテンツサーバ１０４Ａは特定のネットワークトポロジに応じてＬＡＮ１０６の範囲内に配置することが可能である。当業者であれば理解するように、例示のＬＡＮ１０６は、無線ローカルエリアネットワーク、広域ネットワーク、（無線ローカルエリアネットワーク、セルラネットワーク、ＷｉＭＡＸ、スーパ広帯域ネットワークなどのような）個人用エリアアクセス技術、（インターネットなどの）公衆ネットワークのうちの少なくともいずれかであってもよい。
【００４６】
通信媒体１０２は、電子装置による情報又はデータの交換を可能にする任意の媒体の形式をとることができる。例えば、通信媒体１０２は、ＩＥＥＥ８０２．１１（ａ）、ＩＥＥＥ８０２．１１（ｂ）又はＩＥＥＥ８０２．１１（ｇ）のようなイーサネット又は無線通信媒体のような有線による通信媒体であってもよい。さらに、通信媒体１０２はまた、図３に例示のように有線と無線の通信媒体を組み合わせたものであってもよい。当業者であれば容易に理解できるように、任意の通信媒体によって可能となる本願に記載の機能性は本発明の範囲に含まれると考えるべきである。好適には、通信媒体１０２は、例えばＴＣＰ／ＩＰ、ＵＰｎＰ等を含む種々のネットワークプロトコルをサポートできることが望ましい。
【００４７】
図３に示すように、移動電話機１２は、コンテンツサーバ１０４Ａから得られるネットワークベースのコンテンツを、ローカルエリアネットワーク（ＬＡＮ）１０６を介してアクセスポイント１０８から受信することができる。１つの実施形態では、ネットワークベースのコンテンツは、無線で送信され、かつ、ＷＬＡＮ移動電話機１２のインタフェースアダプタ５２によって受信される。別の実施形態では、移動電話機１２は任意の好適な通信リンクを経由してパーソナルコンピュータ１０９とリンクされる。好適な通信リンクとしては、例えば、ＸＪＳＢ、ＦｉｒｅＷｉｒｅ、シリアル、パラレル、ブルートゥース（登録商標）などを含むことができる。このような場合、ネットワークベースのコンテンツがパーソナルコンピュータ１０９へダウンロードされ、移動電話機１２へ送信される。
【００４８】
さらに、移動電話機１２は、インターネット１０５及び無線ＷＡＮ基地局１０７を介して基地局１０７を経由してネットワークベースのコンテンツをコンテンツサーバＢから受信することができる。さらに、移動電話機１２は、ＬＡＮ１０６を介してアクセスポイント１０８を経由してネットワークベースのコンテンツをコンテンツサーバから受信することができる。さらに、パーソナルコンピュータ１０９はまた、インターネット１０５及びＬＡＮ１０６を介してコンテンツサーバからコンテンツを送信することもできる。
【００４９】
別の実施形態では、移動電話機１２はネットワークベースのコンテンツをパーソナルコンピュータ１０９から直接受信することができる。このような場合、ネットワークベースのコンテンツはパーソナルコンピュータ１０９に事前に記憶されている。
【００５０】
図４は（コンテンツサーバＡ、コンテンツサーバＢなどの）例示のコンテンツサーバ１０４の概略ブロック図を示す。コンテンツサーバ１０４は任意のタイプのサーバであってもよい。好適には、コンテンツサーバ１０４は、ＩＰ、ＴＣＰ、ＵＤＰ、ＲＴＰ、ＨＴＴＰ等を含む、インターネット技術標準化委員会（ＩＥＴＦ）によって開発されたプロトコルと互換性のあるメディアサーバであることが望ましい。コンテンツサーバ１０４には、一般にプロセッサ１１０、メモリ１１２、データ記憶媒体１１４、ローカルなインタフェース１１６、ビデオ用及び入出力用インタフェース１１８、並びに、種々の通信インタフェース１２０が含まれる。コンテンツサーバ１０４は、オプションとしてディスプレイ１２２、キーボード１２４、及び（コンピュータマウスなどの）ユーザ入力装置１２６を含むものであってもよい。
【００５１】
コンテンツサーバ１０４は１以上のコンピュータ・アプリケーション１２８を本発明の側面に従って実行する能力を備えている。１つの実施形態では、コンピュータ・アプリケーション１２８は、（例えば、オーディオファイル、ビデオファイル、画像ファイル、ポッドキャスト、ビデオクリップ、オーディオブック、サービス、会員登録ベースのサービスなどの）ネットワークベースのコンテンツを移動電話機１２へ送信する能力を備えることができる少なくとも１つのアプリケーションを含む。マルチメディアコンテンツは、データ記憶媒体１１４又はコンテンツサーバ１０４と通信可能に接続された遠隔の記憶媒体（図示せず）に記憶することができる。
【００５２】
上述のように、（本明細書においてマルチメディアコンテンツと称する）ネットワークベースのコンテンツは任意の形を取り得るものであり、任意の好適なファイル形式に記憶し得るものである。コンテンツサーバ１０４はまた、コンテンツサーバ１０４に記憶されたネットワークベースのコンテンツと、遠隔の記憶媒体との少なくともいずれかを、ローカルと、遠隔地との少なくともいずれかにおいて要求装置側によりレンダリングすることができるフォーマットに変換する能力を備えることができる通信ソフトウェアを記憶することができる。上記とは別に、コンテンツサーバ１０４は、ネットワークベースのコンテンツを所定のフォーマットで提供して、要求装置側が任意の必要な変換を実行できるようにする。
【００５３】
コンピュータ・アプリケーション１２８は、１以上の追加のコンピュータ・アプリケーション又は１以上のサブコンピュータアプリケーション１３０に論理的に関連づけるか、呼び出すかのいずれかを行うことができる。これらのアプリケーションには一般に実行可能コードを編集したものが含まれる。１つの実施形態では、コンピュータ・アプリケーション１２８とサブアプリケーション１３０の少なくともいずれかは（実行可能コードの編集物を含む１以上のソフトウェアアプリケーションなどの）１以上のコンピュータプログラムとして具現化される。（単複の）コンピュータプログラムは、（例えばハードディスク、ＣＤ−ＲＯＭ、ＤＶＤ−ＲＯＭなどの）磁気又は光記憶装置のようなデータ記憶媒体又は別のコンピュータ可読媒体であってもよい。
【００５４】
コンピュータ・アプリケーション１２８及び関連付けられたサブアプリケーション１３０を実行するために、コンテンツサーバ１０４は、（単複の）所定のロジックルーチンを実行する命令を実行するために用いられる１以上のプロセッサ１１０を含むことができる。好適には、コンテンツサーバ１０４はクライアント・サーバアーキテクチャに基づくものであり、複数のクライアントにサービスを提供できることが望ましい。しかし、当業者であれば容易に理解できるように、本実施形態に記載の機能性を有するコンピュータの任意の組み合わせは本発明の範囲に含まれると考えるべきである。好適には、コンテンツサーバ１０４は、ＩＰ、ＴＣＰ、ＵＤＰ、ＲＴＰ、ＨＴＴＰ等のインターネット技術標準化委員会（ＩＥＴＦ）によって開発された１以上のプロトコルと互換性を有するメディアサーバであることが望ましい。
【００５５】
コンテンツサーバ１０４は、データ、ソフトウェア、ロジックルーチン命令、コンピュータプログラム、ファイル、オペレーティングシステム命令、マルチメディアコンテンツ、等を記憶するためのメモリ１１２を有することができる。図４に例示のように、コンピュータ・アプリケーション１２８及びサブアプリケーション１３０はメモリ１１２内に記憶することができる。メモリ１１２はいくつかの装置を備えることが可能であり、かつ、例えば、揮発性及び不揮発性のメモリコンポーネントを含む。したがって、メモリ１１２は、例えば、ランダムアクセスメモリ（ＲＡＭ）、リードオンリメモリ（ＲＯＭ）、ハードディスク、フロッピー（登録商標）ディスク、（例えばＣＤ  ＲＯＭ、ＤＶＤ  ＲＯＭ、ＣＤ  ＲＷなどのような）コンパクトディスク、テープと他のメモリコンポーネントのうちの少なくともいずれか、及び、これらのメモリタイプについて関連する駆動装置及び再生装置を含むことができる。プロセッサ１１０、メモリ１１２及びデータ記憶媒体１１４はローカルなインタフェース１１６を用いて結合される。ローカルなインタフェース１１６は、例えば、付随する制御バス、ネットワーク又は別のサブシステムを備えるデータバスなどであってもよい。
【００５６】
コンテンツサーバ１０４は種々のビデオ及び入出力用インタフェース１１８並びに１以上の通信インタフェース１２０を有するものであってもよい。インタフェース１１８は、（ＣＲＴディスプレイ、ＬＣＤディスプレイ、プラズマディスプレイなどの）ディスプレイ１２２、キーボード１２４、及びユーザ入力装置１２６などのような種々の周辺機器とコンテンツサーバ１０４を接続するために用いることができる。通信インタフェース１２０は、例えば、モデム、ネットワークインタフェースカード、無線ネットワークインタフェースカードのうちの少なくともいずれかから構成されるものであってもよい。通信インタフェース１３０は、コンテンツサーバ１０４が、上述したように、インターネット、広域ネットワーク（ＷＡＮ）、ローカルエリアネットワーク（ＬＡＮ）、直接データリンク、又は（イーサネット(登録商標)などの）同様の有線システム又は（８０２．１１準拠プロトコルなどの）無線システムのような外部ネットワークを介してネットワークベースのコンテンツを送受信することを可能にするものであってもよい。
【００５７】
図５を参照すると、移動電話機１０用のメモリ２０のブロック図が示されている。このメモリには、（移動電話機１０の中に含まれるか移動電話機１０の中に記憶されるかの少なくともいずれかを行う能力を備えた内部メモリ及びメモリカードなどの）移動電話機１０が利用できる総メモリが含まれる。メモリ２０には、（すべての関連する機能を含む移動電話機１０の動作に必要な情報、ユーザ入力情報、ユーザ保存情報などのような）ユーザ情報１４０のための記憶装置、及び、（１以上の発信元によってダウンロード、シャッフル、及び補充を行うことができるコンテンツなどの）ネットワークベースのコンテンツ１４２のための記憶装置が含まれる。１つの実施形態では、メモリの全体量は、ユーザ情報１４０とネットワークベースのコンテンツ１４２との少なくともいずれかによって常に充たされる。通信リンク１４４が、移動電話機１０と関連するネットワークを経由して、遠隔の発信元１０４とメモリ２０との間において確立される。以下詳細に説明するように、ネットワークベースのコンテンツは（サーバ１０４などの）外部発信元から自動的にリフレッシュされる。例えば、ユーザがネットワークベースのコンテンツを移動電話機１０のメモリ２０へ保存し、ユーザが別のコンテンツを移動電話機１０のメモリ２０へ保存する（例えば、ユーザが連絡先情報を追加し、ユーザが移動電話機１０に関連づけられたカメラで写真を撮影するなど）につれて、ネットワークベースのコンテンツ用として利用可能なメモリ容量は動的に減少する。したがって、ユーザ情報の容量１４０が増加するにつれてネットワークベースのコンテンツ１４２を記憶するためのメモリの容量は減少することになる。同様に、ユーザ情報の容量が減少するにつれて、ネットワークベースのコンテンツを記憶するメモリの当量は増加することになる。
【００５８】
図６を見てわかるように、本発明の１つの実施形態に係る方法１５０が例示されている。方法１５０は、（例えばコンテンツサーバ１０４Ａとコンテンツサーバ１０４Ｂの少なくともいずれかのような）コンテンツサーバ１０４におけるアプリケーションがネットワークベースのコンテンツに関係する情報を有していることを想定している。情報は（例えば、データベース、スプレッドシート、ルックアップテーブルなどのような）任意の好適な態様で記憶することができる。利用例として、移動電話ネットワークの通信事業者が、ネットワーク上でユーザが利用できるサービスと製品の少なくともいずれかのサンプルを移動電話機のユーザにネットワーク上で提供することを所望する場合がある。方法１５０は、（例えば移動電話機１２、ネットワーク１００に関連づけられる装置などのような）すべての装置がそのそれぞれの通信接続とネットワークの少なくともいずれかと適切に関連づけられているものと仮定するものである。方法１５０は、移動電話機が、本明細書で説明する機能と処理の少なくともいずれかを実行するのに好適な、メモリ２０に記憶されているアプリケーションプログラムを含むものと想定している。
【００５９】
ステップ１５２において、移動電話機１２において利用可能なメモリ容量が、移動電話機１２に常駐しているアプリケーションによって決定される。正確なアプリケーションにも左右されるが、利用可能なメモリ容量は移動電話機１２に関連づけられた利用可能な任意のメモリカードを含むものであってもよい。一般に、利用可能なメモリは、メモリに記憶されている何らかのユーザ情報よりも少ない、移動電話機に常駐しているメモリの総容量となる。
【００６０】
ステップ１５４において、ネットワークベースのコンテンツ要求は、（例えば、コンテンツサーバ１０４、パーソナルコンピュータ１０９などのような）ネットワーク１００上に配置された遠隔の発信元へ送信される。上記要求はステップ１５２において決定された利用可能なメモリ容量を含むことができる。この要求はまた、ネットワークベースのコンテンツに関連してユーザが定めた１以上の基本設定を含むこともできる。ユーザは任意の方法でユーザによる基本設定を設定することができる。例えば、ユーザはユーザが望むネットワークベースのコンテンツタイプを手動で優先させることができる。上記とは別に、一連の質問に対するユーザの応答に基づいて一連の質問をユーザに提示することができ、アルゴリズムによってユーザによる基本設定を決定することができる。当業者であれば容易に理解できるように、多種多様の方法でユーザによる基本設定を決定することが可能であり、これら方法のすべては本発明の範囲に含まれると考えられる。
【００６１】
ステップ１５６において、遠隔の発信元は、ネットワークベースのコンテンツ要求を受信する。遠隔の発信元は、どのくらいの容量の利用可能なメモリ容量を移動電話機において利用することができるかどうかと、ネットワークベースのコンテンツに対するユーザによる何らかの基本設定が存在するかどうかを上記要求から決定することができる。利用可能なメモリとユーザによる基本設定との少なくともいずれかに基づいて、遠隔の発信元はステップ１５８において利用可能なネットワークベースのコンテンツを移動電話機１２へ送信する。１つの実施形態では、コンテンツサーバ１０４は、移動電話機１２において利用可能なメモリを完全に充たすために新たなネットワークベースのコンテンツを送信する。別の実施形態では、遠隔の発信元は、新たなネットワークベースのコンテンツを送信して、ユーザがユーザ情報を記憶するために移動電話機１２において利用可能な所定のメモリ容量を残しておく。
【００６２】
ステップ１６０において、移動電話機１２はネットワークベースのコンテンツを遠隔の発信元から受信する。ステップ１６２において、ネットワークベースのコンテンツはメモリに記憶される。ステップ１６２において、メモリコンテンツは、ユーザがユーザ情報をメモリ２０に記憶するとき、メモリに記憶されている受信済みのネットワークベースのコンテンツの少なくとも一部の削除と上書きの少なくともいずれかを行うことによってメモリを動的に更新する。例えば、ユーザがネットワークベースのコンテンツを購入するか、別様にネットワークベースのコンテンツのいずれかの一部を移動電話機２０に永続的に記憶することを決定するかの少なくともいずれかを行うとき、選択されたネットワークベースのコンテンツはユーザ情報となる。ユーザ情報として、追加のネットワークベースのコンテンツを受信するために利用可能な総メモリは減らされる。ユーザが利用可能なメモリを上回るユーザ情報を記憶しようと試みる場合には、ネットワークベースのコンテンツの一部を削除するか、別様に除去して、移動電話機１２においてユーザ情報を記憶するためのメモリを利用可能にすることができる。ネットワークベースのコンテンツの減少は、メモリ２０に記憶されているアプリケーションソフトウェアによって動的に行われる。すなわち、コンテンツは、ユーザから干渉を受けることなく自動的に削除される。削除されるネットワークベースのコンテンツは、好適には、ユーザが最も使用しそうにないコンテンツであることが望ましい。上記とは別に、削除されるネットワークベースのコンテンツは、ユーザが繰り返し試したが購入しなかったコンテンツであってもよい。当業者であれば理解できるように、様々な要因と設計基準の少なくともいずれかに基づいて、削除すべきネットワークベースのコンテンツの選択を行うことができる。上記要因と設計基準のすべては本発明の範囲に含まれる。
【００６３】
図７Ａ乃至図７Ｆは本発明に係る例示のメモリ管理を示す図である。図７Ａは、移動電話機に関連づけられた総メモリを示す。この総メモリには、移動電話機１０の中に収納できる利用可能なすべてのメモリ記憶素子が含まれている。このようなメモリには、例えば、ランダムアクセスメモリ、（コンパクトフラッシュ(登録商標)カード、安全なデジタルカード、マルチメディアカード、ＸＤピクチャカード、メモリスティックなどの）メモリカード等が含まれている。図７Ｂは、利用可能なメモリとしてリストされる総メモリの残りの容量と共にユーザ情報を記憶する総メモリの一部を示す。ユーザ情報には、移動電話機１０のいずれかの及び全ての機能的特徴に関連するすべての必要な情報、ユーザ保存情報、ユーザによる入力情報等が含まれる。
【００６４】
図７Ｃは、（例えばアプリケーションＡ、Ｂ、Ｃなどの）ネットワークベースのコンテンツが残りの利用可能なメモリにロードされることを示している。利用可能な総メモリは、ユーザが試用するか、購入するか、別様に用いるかの少なくともいずれかを行うために追加のアプリケーションとコンテンツの少なくともいずれかと共に好適にロードされる。図７Ｄはユーザが保存するアプリケーションＣを示す。アプリケーションＣの保存時に、アプリケーションＣはユーザ情報となる。図７Ｄに示すように、利用可能なメモリは今度はアプリケーションＣのサイズ分だけ減らされ、ユーザ情報の容量はアプリケーションＣのサイズ分だけ増加する。ネットワークベースのコンテンツで充たされるべき利用可能なメモリ容量はユーザ情報の増加に起因して減少することになる。同様に、ユーザがユーザ情報の削除を選択した場合、ユーザ情報の容量は減少し、追加のネットワークベースのコンテンツをダウンロードするために利用可能なメモリ容量は増加することになる。当業者であれば容易に理解できるように、追加のユーザ情報を保存するためにメモリを解放する正確な方法は大幅な変更を行うことが可能であり、すべてのこのような変更例は本発明の範囲に含まれる。
【００６５】
ネットワークベースのコンテンツ要求は手動と自動の少なくともいずれかの態様で送信することができる。例えば、ユーザが移動電話機１２において利用可能な新たなネットワークベースのコンテンツの取得を望むときにはいつでも、移動電話機１２のユーザによって要求を手動で送信することが可能となる。別の実施形態では、ユーザは自動送信する要求に対して時間と日付の少なくともいずれかを設定することができる。本例では、移動電話ネットワークを経由して要求を送信する場合、送信時間料金が最小化となる日付と時間をユーザが選択できることは有利な点となり得る。別の実施形態では、移動電話機１２がＷＬＡＮを検出したときにも、要求を送信することができる。別の実施形態では、ユーザが移動電話機１２をパーソナルコンピュータと接続すると、要求の送信が可能となる。これらの状況では、移動電話ネットワーク又はコンピュータネットワークのいずれかのネットワークによって要求を送信することも可能である。好適には、移動電話ネットワークにおける送信時間料金の最小化を図るためにコンピュータネットワークを経由して要求を送信できることが望ましい。
【００６６】
別の実施形態では、ユーザがネットワークベースのコンテンツの或る一定割合を試用した後に要求を送信することができる。例えば、ユーザが５０％などの所定の閾値に相当する割合（閾値率）のネットワークベースのコンテンツをサンプルとして試用し、かつ、追加のサービスと製品の少なくともいずれも購入しなかった場合でも、ユーザは新たな要求を送信することが可能である。別の実施形態では、ユーザがコンテンツを購入せずに、閾値の回数だけ特定のアプリケーションをサンプルとして試用した場合でも、ユーザは要求を送信することが可能である。当業者であれば容易に理解できるように、閾値率は、種々の設計に対する配慮とコストに対する配慮の少なくともいずれかの配慮に依存して変更される。
【００６７】
本発明に従って移動電話機に記憶されるコンテンツの管理を行う別の方法例１８０が図８に例示されている。ステップ１８２において、移動電話機１２に常駐しているアプリケーションは、利用可能なメモリ容量の決定を行う。ステップ１８４において、移動電話機からのコンテンツ要求が外部発信元へ送信されると共に、この要求には、移動電話機１２において利用可能なメモリ容量が含まれている。この要求はまた１以上のユーザによる基本設定を含むことも可能である。
【００６８】
ステップ１８６において、外部発信元はネットワークベースのコンテンツ要求を受信する。外部発信元は任意の発信元であってもよい。例示の外部発信元は例えば、サーバ、パーソナルコンピュータ、等を含む。ネットワークベースのコンテンツに関連する、ユーザによる何らかの基本設定が存在する場合、外部発信元はどのくらいの容量の利用可能なメモリを移動電話機において利用できるかを要求から決定することができる。利用可能なメモリとユーザによる基本設定の少なくともいずれかに基づいて、外部発信元は、ステップ１８８において利用可能なネットワークベースのコンテンツを移動電話機１２へ送信することになる。１つの実施形態では、外部発信元は、新たなネットワークベースのコンテンツを送信して、移動電話機１２において利用可能なメモリを完全に充たすようにする。別の実施形態では、外部発信元は、新たなネットワークベースのコンテンツを送信して、ユーザがユーザ情報を記憶するために利用可能な所定のメモリ容量を移動電話機１２に残しておく。
【００６９】
ステップ１９０において、移動電話機１２はコンテンツ要求に基づいてコンテンツを受信する。その場合、受信したコンテンツは移動電話機において利用可能なメモリのかなりの部分に対応する。ここで用いられているように、メモリのかなりの部分とは、利用可能なメモリの少なくとも５０％を意味する。さらに好適には、メモリのかなりの部分とは、利用可能なメモリの少なくとも７５％を含むことが望ましい。さらにより好適には、メモリのかなりの部分とは、利用可能なメモリの少なくとも９０％を含むことが望ましい。
【００７０】
ステップ１９２において、移動電話機１２は受信したネットワークベースのコンテンツをメモリ２０に記憶する。ユーザがネットワークベースのコンテンツを購入するか、ネットワークベースのコンテンツのいずれかの部分を移動電話機２０に永続的に記憶することを別様に決定するかの少なくともいずれかが行われると、選択されたコンテンツはユーザ情報となる。ステップ１９４において、ネットワークベースのコンテンツの減少は、メモリ２０に記憶されたアプリケーションソフトウェアによって動的に行われる。すなわち、コンテンツはユーザから干渉を受けることなく自動的に削除される。削除されるネットワークベースのコンテンツは、好適には、ユーザが最も使用しそうにないコンテンツであることが望ましい。上記とは別に、削除すべきネットワークベースのコンテンツは、ユーザが繰り返し試用したにもかかわらず、購入しなかったコンテンツであってもよい。当業者であれば理解できるように、様々な要因と設計基準の少なくともいずれかに基づいて、削除すべきネットワークベースのコンテンツの選択を行うことができる。上記要因と設計基準のすべては本発明の範囲に含まれる。
【００７１】
ステップ１９６において、所定の時刻及びイベントの少なくともいずれかにおいてメモリを動的に更新するためにネットワークベースのコンテンツ要求が送信される。当業者であれば容易に理解できるように、追加のユーザ情報を保存するためにメモリを解放する正確な方法は大幅に変更が可能であり、すべてのこのような変更例は本発明の範囲に含まれる。例えば、図７Ｅは利用可能なメモリに記憶された追加のアプリケーションＤ及びＥを例示する。別の実施形態では、アプリケーションコンテンツは図７Ｆに示すようにシャッフルすることができる。
【００７２】
上述のように、ネットワークベースのコンテンツ要求は手動と自動の少なくともいずれかの態様で送信することができる。例えば、ユーザが移動電話機１２において利用可能な新たなネットワークベースのコンテンツの取得を望むときにはいつでも、移動電話機１２のユーザによって要求を手動で送信することができる。別の実施形態では、ユーザは時間と日付の少なくともいずれかを自動的に送信する要求に対して設定することができる。本例では、移動電話ネットワークを経由して要求を送信する場合、送信時間料金が最も安くなるような日付と時間帯をユーザが選択できることは利点となり得る。別の実施形態では、移動電話機１２がＷＬＡＮを検出したときにも、要求を送信することが可能である。別の実施形態では、ユーザが移動電話機１２をパーソナルコンピュータと接続すると、要求を送信することができる。これらの状況では、移動電話ネットワーク又はコンピュータネットワークのいずれかによって要求を送信することができる。好適には、移動電話ネットワークにおいて送信時間料金が最も安くなるようにコンピュータネットワークを経由して要求を送信できることが望ましい。
【００７３】
別の実施形態では、ユーザが或る一定割合のネットワークベースのコンテンツをサンプルとして試用した後、要求を送信することが可能である。例えば、ユーザが、ネットワークベースのコンテンツの５０％などの所定の閾値に相当する割合（閾値率）をサンプルとして試用し、かつ、追加のサービスと製品の少なくともいずれも購入しなかった場合でも、要求を送信することが可能である。別の実施形態では、ユーザがコンテンツを購入することなく所定の回数だけ特定アプリケーションをサンプルとして試用した場合でも、要求を送信することができる。当業者であれば容易に理解できるように、種々の設計に対する配慮とコストに対する配慮の少なくともいずれかの配慮に依存して閾値率は変更される。
【００７４】
本発明の別の実施形態では、ユーザ情報とネットワークベースのコンテンツの少なくともいずれかに対して総メモリを割り当てる代わりに、ユーザとアプリケーション設計者の少なくともいずれかは、ネットワークベースのコンテンツに対して割り当てる所定の総メモリ容量を考慮することができる。この所定容量は任意の総メモリ容量にすることが可能である。好適には、この所定容量は、ユーザがより多くのネットワークベースのコンテンツを追加して、サンプルとして試用できるようにするために、利用可能な総量にほぼ近いメモリ容量であることが望ましい。これによって、追加のアプリケーションとコンテンツの少なくともいずれかを購入する気持ちへユーザを導くことが可能となる。
【００７５】
ある発明の特定の実施例を本明細書に開示した。当業者であれば、本発明が別の環境では別の用途を有するものとなることはすぐに認識できよう。実際、多くの実施形態及び実装構成が可能となる。特許請求の範囲は、決して前記した特定の実施例に本発明の範囲を限定するものではない。さらに、「〜のための手段」という記載は構成要素および特許請求の範囲の「ミーンズ・プラス・ファンクション」の表示を喚起するものであるが、「〜のための手段」という記載を特に使用していない構成要素は、たとえ特許請求の範囲が「手段」という用語を含む場合でもミーンズ・プラス・ファンクション要素として解釈すべきではない。本明細書は特定の順序で行われる方法ステップを列挙するものではあるが、これらのステップは任意の順序で、又は、同時に実行可能であることにも留意されたい。
【００７６】
本発明のコンピュータプログラム要素はハードウェアと、（ファームウェア、常駐ソフトウェア、マイクロコードなどを含む）ソフトウェアとの形で具現化することができる。本発明は、コンピュータプログラムの形態をとりうるものであり、このコンピュータプログラムは、命令実行システムによって又は命令実行システムに関連して利用される媒体に組み込まれた、コンピュータで使用可能な、又はコンピュータ可読のプログラム命令、「コード」又は「コンピュータプログラム」を有するコンピュータで使用可能な記憶媒体又はコンピュータ可読の記憶媒体により具現化することが可能である。本文献の文脈において、コンピュータで使用可能な媒体又はコンピュータ可読媒体とは、命令実行システム、設備又は装置により、又は、命令実行システム、設備又は装置と共に使用されるプログラムを収容し、記憶し、通信し、伝播し、又は転送できるあらゆる媒体であってもよい。コンピュータで使用可能な媒体、又は、コンピュータ可読媒体は、たとえば、電子的、磁気的、光学的、電磁的、赤外線の、又は半導体のシステム、設備、装置、又はインターネットのような伝播媒体であってもよいが、これらに限定されるわけではない。なお、コンピュータで使用可能な媒体又はコンピュータ可読媒体とは、プログラムが印刷された紙又は他の適切な媒体であってもよい。これは、例えば紙又は他の媒体を光走査し、その後コンパイル、変換又は適切な方法で処理を行ってプログラムを電子的に取り込むことが可能であるからである。ここに述べたコンピュータプログラム製品及び任意のソフトウェアあるいはハードウェアとは、例示の実施形態において本発明の機能を実行する種々の手段を形成するものである。
【図１】
2010503249.tif 000003
【図２】
2010503249.tif 000004
【図３】
2010503249.tif 000005
【図４】
2010503249.tif 000006
【図５】
2010503249.tif 000007
【図６】
2010503249.tif 000008
【図７Ａ】
2010503249.tif 000009
【図７Ｂ】
2010503249.tif 000010
【図７Ｃ】
2010503249.tif 000011
【図７Ｄ】
2010503249.tif 000012
【図７Ｅ】
2010503249.tif 000013
【図７Ｆ】
2010503249.tif 000014
【図８】
2010503249.tif 000015
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
移動電話機（１２）へコンテンツをダウンロードする方法であって、
前記移動電話機（１２）において、ネットワークベースのコンテンツ（１４２）に利用可能なメモリ（２０）の容量を決定するステップと、
前記移動電話機から外部発信元（１０４、１０９）に対して、前記移動電話機（１２）において利用可能な前記メモリの容量を含むネットワークベースのコンテンツ要求を送信するステップと、
前記コンテンツ要求に基づいて、利用可能な前記メモリの所定部分に対応するネットワークベースのコンテンツを受信するステップと、
前記受信したネットワークベースのコンテンツを前記メモリに記憶するステップと、
ユーザ情報を前記メモリに記憶するステップと、
関連ユーザがユーザ情報として前記ネットワークベースのコンテンツを前記メモリに記憶するときに、前記メモリを動的に更新するステップと
を含むことを特徴とする方法。
【請求項２】
前記ネットワークベースのコンテンツ要求は、ユーザによる１以上の基本設定を含むことを特徴とする請求項１に記載の方法。
【請求項３】
前記ネットワークベースのコンテンツ要求は、所定の時刻に送信されることを特徴とする請求項２に記載の方法。
【請求項４】
前記ネットワークベースのコンテンツ要求は、自動的に送信されることを特徴とする請求項３に記載の方法。
【請求項５】
前記ネットワークベースのコンテンツ要求は、無線ローカルエリアネットワーク（１０８）の検出時に自動的に送信されることを特徴とする請求項４に記載の方法。
【請求項６】
前記ネットワークベースのコンテンツ要求は、電子機器がパーソナルコンピュータ（１０９）と接続されると、自動的に送信されることを特徴とする請求項４に記載の方法。
【請求項７】
前記ネットワークベースのコンテンツ要求は、所定の閾値に相当する割合の前記ネットワークベースのコンテンツが前記関連ユーザによってサンプルとして試用された後に、送信されることを特徴とする請求項１乃至６の何れか１項に記載の方法。
【請求項８】
前記外部発信元は、リモートサーバ（１０４）及びパーソナルコンピュータ（１０９）の少なくともいずれかであることを特徴とする請求項１乃至７の何れか１項に記載の方法。
【請求項９】
前記ネットワークベースのコンテンツは、移動電話ネットワークアダプタ及びローカルエリアネットワークアダプタとの少なくともいずれかのアダプタを経由して受信されることを特徴とする請求項１乃至８の何れか１項に記載の方法。
【請求項１０】
移動電話機（１２）に記憶されたコンテンツを管理する方法であって、
前記移動電話機から外部発信元（１０４、１０９）に対して、前記移動電話機において利用可能なメモリ（２０）の容量を含むネットワークベースのコンテンツ（１４２）の要求を送信するステップと、
前記ネットワークベースのコンテンツの要求に基づいて、前記移動電話機において利用可能な前記メモリのかなりの部分に対応する前記ネットワークベースのコンテンツを受信するステップと、
前記受信したネットワークベースのコンテンツを前記メモリに記憶するステップと、
所定の時刻及びイベントの少なくともいずれかに基づいて前記メモリを動的に更新するステップと
を含むことを特徴とする方法。
【請求項１１】
前記イベントは、前記ネットワークベースのコンテンツをサンプルとして所定の回数試用するステップであることを特徴とする請求項１０に記載の方法。
【請求項１２】
前記所定の時刻は、ネットワークへのアクセスが無料である時間と、前記ネットワークへのアクセスに対する基準料金よりも安い料金で提供される時間との少なくともいずれかの時間に対応することを特徴とする請求項１０に記載の方法。
【国際調査報告】
2010503249.tif 000016
2010503249.tif 000017
2010503249.tif 000018